Podtech/llm-jp-corpus-v4-ja_patent huggingface dataset:
【手続補正書】
【提出日】平成18年10月11日(2006.10.11)
【手続補正１】
【補正対象書類名】特許請求の範囲
【補正対象項目名】全文
【補正方法】変更
【補正の内容】
【特許請求の範囲】
【請求項１】
腹腔鏡下電気外科手術鋏等の電気外科手術鋏であって、
揺動可能に互いに連結している第１ブレード部材(34)及び第２ブレード部材(36)から成るエンドエフェクタ(32)と、
少なくとも１つの流体出口(120)と流体連通している流体通路(82)と、
から成り、
前記第１ブレード部材(34)及び前記第２ブレード部材(36)の少なくとも一方は、電気接続部材(68)に電気的に結合しており、前記電気接続部材(68)は、前記鋏を無線周波数電力源に電気的に結合するように形成されており、
前記第１ブレード部材(34)は第１ブレード部材外表面(137)を有しており、前記第２ブレード部材(36)は第２ブレード部材外表面(139)を有しており、前記外表面の少なくとも一方は、前記流体出口から流体が放出された状態で前記外表面が組織に隣接して結合し、前記鋏から前記組織に無線周波数電力が供給されている間、前記組織に沿ってスライドするように形成されており、
もって、前記組織は、空気及び身体流体の少なくとも一方が流れないように封鎖されることを特徴とする電気外科手術鋏。
【請求項２】
前記電気外科手術鋏は、更に、単極電気外科手術鋏から成ることを特徴とする請求項１に記載の電気外科手術鋏。
【請求項３】
前記第１ブレード部材は第１ブレード部材先端部から成り、
前記第２ブレード部材は第２ブレード部材先端部から成り、
前記先端部の少なくとも一方は、更に、球根状部から成ることを特徴とする請求項１に記載の電気外科手術鋏。
【請求項４】
前記第１ブレード部材外表面及び前記第２ブレード部材外表面の少なくとも一方は、少なくとも一部が電気的な絶縁素材から成ることを特徴とする請求項１に記載の電気外科手術鋏。
【請求項５】
前記電気外科手術鋏は、更に、
長尺なシャフトと、
前記シャフトの内部に位置する管状内側空間部と、
から成り、
前記管状内側空間部は、前記流体通路の一部を提供していることを特徴とする請求項１に記載の電気外科手術鋏。
【請求項６】
前記電気外科手術鋏は、更に、長尺で中空なシャフトから成り、
前記少なくとも１つの流体出口は、前記シャフトの内部に位置していることを特徴とする請求項１に記載の電気外科手術鋏。
【請求項７】
前記電気外科手術鋏は、更に、
プッシュロッドと、
前記プッシュロッドの内部に位置している管状内側空間部と、
から成り、
前記管状内側空間部は、前記流体通路の一部を提供していることを特徴とする請求項１に記載の電気外科手術鋏。
【請求項８】
前記少なくとも１つの流体出口は、前記流体出口から放出された前記流体を前記エンドエフェクタに提供するように配置されていることを特徴とする請求項１に記載の電気外科手術鋏。
【請求項９】
前記流体出口は、組織とは直接接触することがない実質的にアクセス不可能な場所に設けられていることを特徴とする請求項１に記載の電気外科手術鋏。
【請求項１０】
前記第１及び第２ブレード部材の少なくとも一方は湾曲していることを特徴とする請求項１に記載の電気外科手術鋏。
【請求項１１】
前記少なくとも一方の前記外表面は、前記外表面が前記組織の表面に隣接しているとき、前記流体出口から放出された前記流体が前記組織の前記表面と前記外表面との間で局在した流体結合体を形成するように、更に形成されていることを特徴とする請求項１に記載の電気外科手術鋏。
【手続補正書】
【提出日】平成18年10月10日(2006.10.10)
【手続補正１】
【補正対象書類名】特許請求の範囲
【補正対象項目名】全文
【補正方法】変更
【補正の内容】
【特許請求の範囲】
【請求項１】
比較的に高いショ糖エステル濃度を有する第一のオリエンタルタバコが含まれるタバコ混合物のショ糖エステル濃度を減らす方法であって、
少なくとも約１６００ｐｐｍのショ糖エステル濃度を有する第一のオリエンタルタバコ材料を、（１）前記第一のオリエンタルタバコよりも低いショ糖エステル濃度を有する第二の異なるオリエンタルタバコ材料、（２）前記第一のオリエンタルタバコよりも低いショ糖エステル濃度を有する非オリエンタルタバコ材料、又は（３）これらの組み合わせと接触させ、第一の全ショ糖エステル濃度を有するタバコ混合物を形成するステップと、
前記タバコ混合物中のショ糖エステル濃度を、前記第一の全ショ糖エステル濃度より低い第二の全ショ糖エステル濃度まで減らすのに十分な時間及び条件下で、前記タバコ混合物を加熱するステップと、
前記加熱処理したタバコ混合物を喫煙製品に組み込むステップと
を含んでなる方法。
【請求項２】
前記タバコ混合物が、黄色種タバコ、バーレー種タバコ及びこれらの混合物からなる群から選ばれる非オリエンタルタバコ材料を含む請求項１に記載の方法。
【請求項３】
前記タバコ混合物が、第二の異なるオリエンタルタバコ材料と、黄色種タバコ、バーレー種タバコ及びこれらの混合物からなる群から選ばれる少なくとも１つの非オリエンタルタバコ材料とを含む請求項１に記載の方法。
【請求項４】
前記加熱前に、前記第一のオリエンタルタバコが少なくとも２０００ｐｐｍのショ糖エステル濃度を有する請求項１に記載の方法。
【請求項５】
前記加熱前に、前記第一のオリエンタルタバコが少なくとも３０００ｐｐｍのショ糖エステル濃度を有する請求項１に記載の方法。
【請求項６】
前記加熱前に、前記第一のオリエンタルタバコが少なくとも４０００ｐｐｍのショ糖エステル濃度を有する請求項１に記載の方法。
【請求項７】
前記加熱前に、前記第一のオリエンタルタバコが少なくとも５０００ｐｐｍのショ糖エステル濃度を有する請求項１に記載の方法。
【請求項８】
前記加熱後に、前記第一のオリエンタルタバコが１５００ｐｐｍ未満のショ糖エステル濃度を有する請求項１に記載の方法。
【請求項９】
前記加熱後に、前記第一のオリエンタルタバコが１２００ｐｐｍ未満のショ糖エステル濃度を有する請求項１に記載の方法。
【請求項１０】
前記加熱により、前記第一のオリエンタルタバコ中のショ糖エステルを少なくとも２０重量％減少させる請求項１に記載の方法。
【請求項１１】
前記加熱により、前記第一のオリエンタルタバコ中のショ糖エステルを少なくとも３０重量％減少させる請求項１に記載の方法。
【請求項１２】
前記加熱が、前記タバコ混合物に熱を加えて、温度２００°Ｆ〜３１０°Ｆまで上昇させることを含む請求項１に記載の方法。
【請求項１３】
前記加熱が、前記タバコ混合物に熱を加えて、温度２００°Ｆ〜２５０°Ｆまで上昇させることを含む請求項１に記載の方法。
【請求項１４】
前記加熱が、大気中かつ大気圧下で行われる請求項１に記載の方法。
【請求項１５】
前記加熱が、少なくとも１０分間にわたって前記タバコ混合物に熱を加えることを含む請求項１に記載の方法。
【請求項１６】
前記加熱が、１０分間から１時間の間にわたって前記タバコ混合物に熱を加えることを含む請求項１に記載の方法。
【請求項１７】
前記加熱は、前記タバコ混合物の含水率が１０重量％〜２０重量％にまで減ずるまで、前記タバコ混合物に熱を加えることを含む請求項１に記載の方法。
【請求項１８】
前記タバコ混合物が、前記混合物中のタバコの全重量に基づいてオリエンタルタバコを１０％〜３０％含む請求項１に記載の方法。
【請求項１９】
前記加熱前に、前記タバコ混合物が少なくとも１５重量％の含水率を有する請求項１に記載の方法。
【請求項２０】
前記加熱前に、前記タバコ混合物が少なくとも２０重量％の含水率を有する請求項１に記載の方法。
【請求項２１】
前記加熱前に、前記タバコ混合物が１５重量％〜５０重量％の含水率を有する請求項１に記載の方法。
【請求項２２】
前記タバコ混合物の各タバコ成分が、前記接触前に、１５重量％〜５０重量％の含水率を有する請求項１に記載の方法。
【請求項２３】
前記喫煙製品がシガレットである請求項１に記載の方法。
【請求項２４】
請求項１に記載の方法により得られる前記加熱処理したタバコ混合物が組み込まれた喫煙製品。
【手続補正書】
【提出日】平成18年2月17日(2006.2.17)
【手続補正１】
【補正対象書類名】明細書
【補正対象項目名】００１６
【補正方法】変更
【補正の内容】
【００１６】
現在判明しているように、種々の酵素の不活化は、種々のＤ−アミノ酸の分解を十分な程度（＞１０時間の範囲で、＜１０％の分解率）まで減少させるために必要である（図２を参照のこと）。Ｄ−セリンの分解については、驚くべきことに、Ｄ−アミノ酸オキシダーゼ（ｄａｄＡ）の遺伝子の不活化はその分解を効率的に減少させるのに十分ではないことが判明した。このアミノ酸の分解を効率的に減少させるために、Ｄ−セリンデヒドラターゼを付加的に不活化するのが望ましい。それに対して、ｄａｄＡの不活化によりセリンが＞３倍で減少する分解がもたらされることが文献に報告されている［エシェリキア・コリＫ１２のＤ−アミノ酸デヒドロゲナーゼ：酵素活性及び構造遺伝子局在についての欠陥突然変異株のポジティブセレクション  ワイルド，Ｊ．；クロポトスキー，Ｔ．著  分子遺伝学及び一般遺伝学（１９８１年）１８１号（３）、３７３〜３７８頁［D-Amino acid dehydrogenase of Escherichia coli K12:positive selection of mutants defective in enzyme activity and localization of the structural gene. Wild,J.;Klopotowski,T.Mol.Gen.Genet.(1981),181(3),373-378］］。更に該文献に記載されている結果に対して、驚くべきことにＤ−セリンは、例えばＤ−メチオニンと比較して極めて速く分解されることが判明した。
【手続補正２】
【補正対象書類名】明細書
【補正対象項目名】００２０
【補正方法】変更
【補正の内容】
【００２０】
実施例１：組換えＥ．コリ細胞を用いたＤ−アミノ酸の製造
化学処理コンピテントＥ．コリＪＭ１０９（Ｐｒｏｍｅｇａ社製）を、ｐＪＡＶＩＥＲ１６（図３参照）を用いて形質転換した。このプラスミドは、アルトロバクター・クリスタロポイエテスＤＳＭ２０１１７由来のＤ−カルバモイラーゼ及びＤ−ヒダントイナーゼを有する。Ｄ−ヒダントイナーゼ及びＤ−カルバモイラーゼの配列を、配列番号１及び３に示す（更にＤＥ１０１１４９９９．９号及びＤＥ１０１３０１６９．３号を参照のこと）。
【手続補正書】
【提出日】平成18年11月1日(2006.11.1)
【手続補正１】
【補正対象書類名】特許請求の範囲
【補正対象項目名】全文
【補正方法】変更
【補正の内容】
【特許請求の範囲】
【請求項１】
原虫病原体の感染性を抑制する化合物の同定および／または取得方法であって、
(a)単離されたRhomboidポリペプチドおよび単離された基質ポリペプチドを試験化合物の存在下で接触させること、および
(b)基質ポリペプチドのタンパク質分解性切断を測定すること、
を含んでなる前記方法。
【請求項２】
原虫病原体がアピコンプレクサ類の病原体である、請求項１に記載の方法。
【請求項３】
アピコンプレクサ類の病原体が、プラスモジウム属（Plasmodium）、トキソプラズマ属（Toxoplasma）、アイメリア属（Eimeria）、サルコシスティス属（Sarcocystis）、シクロスポラ属（Cyclospora）、イソスポラ属（Isospora）、クリプトスポリジウム属（Cryptosporidium）、バベシア属（Babesia）およびタイレリア属（Theileria）からなる群から選択される、請求項２に記載の方法。
【請求項４】
Rhomboidポリペプチドが原虫Rhomboidタンパク質である、請求項１〜３のいずれか１つに記載の方法。
【請求項５】
Rhomboidポリペプチドが表１に示す核酸配列によってコードされる、請求項４に記載の方法。
【請求項６】
基質ポリペプチドが内腔ドメインおよびTMDを含んでなり、このTMDが、ショウジョウバエSpitz配列の残基138-144（ASIASGA）を１つ以上含む内腔ドメイン近接領域を有する、請求項１〜５のいずれか１つに記載の方法。
【請求項７】
基質ポリペプチドがTMDおよび内腔ドメインを含んでなり、このTMDが、ショウジョウバエSpitzの残基138-144の配列を有する内腔ドメイン近接領域を有する、請求項６に記載の方法。
【請求項８】
基質ポリペプチドが接着ミクロネームポリペプチドである、請求項６に記載の方法。
【請求項９】
基質ポリペプチドが表２に示す核酸配列によってコードされる、請求項８に記載のアッセイ法。
【請求項１０】
基質ポリペプチドがAma-1またはCTRPである、請求項９に記載のアッセイ法。
【請求項１１】
基質ポリペプチドおよびRhomboidポリペプチドがER（小胞体）保留シグナルを含んでなる、請求項１〜１０のいずれか１つに記載の方法。
【請求項１２】
小胞体保留シグナルがKDELもしくはKKXXである、請求項１１に記載の方法。
【請求項１３】
基質ポリペプチドが、検出可能な標識を有する細胞外ドメインを含んでなる、請求項１〜１２のいずれか１つに記載の方法。
【請求項１４】
検出可能な標識がGFPである、請求項１３に記載の方法。
【請求項１５】
前記Rhomboidポリペプチドおよび前記基質ポリペプチドが宿主細胞において異種核酸から発現される、請求項１〜１４のいずれか１つに記載の方法。
【請求項１６】
さらに次のステップ：
(c)単離されたヒトRhomboidポリペプチドおよび基質ポリペプチドを試験化合物の存在下で接触させること、および
(d)ヒトRhomboidポリペプチドによる基質ポリペプチドのタンパク質分解性切断を測定すること、
を含んでなる、請求項１〜１５のいずれか１つに記載の方法。
【請求項１７】
接着ミクロネームポリペプチド切断のモジュレーターとして、前記試験化合物を同定することを含んでなる、請求項１〜１６のいずれか１つに記載の方法。
【請求項１８】
原虫病原体の侵入性を抑制する前記試験化合物の能力を測定することをさらに含んでなる、請求項１７に記載の方法。
【請求項１９】
前記試験化合物を単離することを含んでなる、請求項１７または１８に記載の方法。
【請求項２０】
前記試験化合物を、製薬上許容される添加剤、賦形剤もしくは担体とともに医薬組成物として製剤化することを含んでなる、請求項１７〜１９のいずれか１つに記載の方法。
【請求項２１】
(a)原虫の試験Rhomboidポリペプチドを用意すること、
(b)基質ポリペプチドが通常、タンパク質分解によって切断される条件下で、基質ポリペプチドと試験Rhomboidポリペプチドを接触させること、および
(c)基質ポリペプチドの切断を測定すること、
を含んでなる、原虫Rhomboidポリペプチドの同定方法。
【請求項２２】
試験Rhomboidポリペプチドが表１に示す核酸配列によってコードされるアミノ酸配列を含んでなる、請求項２１に記載の方法。
【請求項２３】
基質ポリペプチドが、Spitz、Gurken、Keren、Ama-1もしくはCTRPのTMDの内腔領域を含んでなる、請求項２１もしくは２２に記載の方法。
【請求項２４】
基質ポリペプチドが表２に示す核酸配列によってコードされるアミノ酸配列を含んでなる、請求項２１〜２２のいずれか１つに記載の方法。
【請求項２５】
基質ポリペプチドがAma-1もしくはCTRPである、請求項２４に記載の方法。
【手続補正書】
【提出日】平成18年7月14日(2006.7.14)
【手続補正１】
【補正対象書類名】特許請求の範囲
【補正対象項目名】請求項５
【補正方法】変更
【補正の内容】
【請求項５】
さらにプロテイナーゼおよび／またはキシラナーゼを含む、請求項１〜４のいずれか一項のウェイファー。
【手続補正書】
【提出日】平成18年10月23日(2006.10.23)
【手続補正１】
【補正対象書類名】特許請求の範囲
【補正対象項目名】全文
【補正方法】変更
【補正の内容】
【特許請求の範囲】
【請求項１】
電気式喫煙システムのための電気加熱式タバコであって、
少なくとも１つの吸着剤と、
香味料放出添加剤と、
を含み、前記香味料放出添加剤は、該香味料放出添加剤が少なくとも最低温度まで加熱されると電気加熱式タバコ中に放出可能である少なくとも１つの香味料を含む、
ことを特徴とするタバコ。
【請求項２】
前記香味料放出添加剤は、ビーズの形態である
ことを特徴とする、請求項１に記載の電気加熱式タバコ。
【請求項３】
前記最低温度は約４０℃であり、
前記ビーズは、電気加熱式タバコの喫煙中に少なくとも約４０℃に達する、該タバコの少なくとも１つの位置に配置される
ことを特徴とする、請求項２に記載の電気加熱式タバコ。
【請求項４】
前記ビーズは、タバコロッド、タバコプラグとフリーフローフィルタの間の空隙、フリーフローフィルタ上、タバコ含有マット上、及び／又は該タバコプラグを取り囲む内側ラップ上、に配置される
ことを特徴とする、請求項２に記載の電気加熱式タバコ。
【請求項５】
前記香味料放出添加剤は、フィルムである
ことを特徴とする、請求項１に記載の電気加熱式タバコ。
【請求項６】
前記フィルムは、タバコプラグ、該タバコプラグを取り囲む内側ラップ上、タバコ含有マット上、及び／又は該マットを取り囲む覆いラップ上、に配置される
ことを特徴とする、請求項５に記載の電気加熱式タバコ。
【請求項７】
前記香味料放出添加剤は、ホスト分子を含む包接錯体であり、
前記香味料は、前記包接錯体中のゲスト分子である
ことを特徴とする、請求項１に記載の電気加熱式タバコ。
【請求項８】
請求項１に記載の電気加熱式タバコを製造する方法であって、
（ａ）少なくとも１つの吸着剤と、
（ｂ）香味料放出添加剤が少なくとも最低温度に加熱されると電気加熱式タバコ中に放出可能である少なくとも１つの香味料、を含む香味料放出添加剤と
を、電気加熱式タバコに組み込む段階、
を含むことを特徴とする方法。
【請求項９】
電気式喫煙システムであって、
ライターと、
少なくとも１つの電気加熱式タバコと
を含み、前記電気加熱式タバコは、
少なくとも１つの吸着剤と、
香味料放出添加剤が少なくとも最低温度に加熱されると前記電気加熱式タバコ中に放出可能である少なくとも１つの香味料、を含む香味料放出添加剤と、
を含むことを特徴とするシステム。
【請求項１０】
電気加熱式タバコであって、
少なくとも１つの吸着剤と、
ビーズ、フィルム、及び包接錯体から成る群から選択された形態の、少なくとも１つの香味料放出添加剤と、
を含み、各香味料放出添加剤は、該香味料放出添加剤が少なくとも最低温度に加熱されると電気加熱式タバコ中に放出可能である、少なくとも１つの香味料を含む、
ことを特徴とするタバコ。
【手続補正書】
【提出日】平成18年9月14日(2006.9.14)
【手続補正１】
【補正対象書類名】特許請求の範囲
【補正対象項目名】全文
【補正方法】変更
【補正の内容】
【特許請求の範囲】
【請求項１】
椎間板を増強するための、粒子状のコラーゲンを主成分とした材料。
【請求項２】
前記椎間板内に注入される、請求項１に記載のコラーゲンを主成分とした材料。
【請求項３】
寸法が０．０５ｍｍから５ｍｍまでの粒子を含んでいる、請求項１又は２に記載のコラーゲンを主成分とした材料。
【請求項４】
寸法が０．０５ｍｍから３ｍｍまでの粒子を含んでいる、請求項１又は２に記載のコラーゲンを主成分とした材料。
【請求項５】
寸法が０．０５ｍｍから１ｍｍまでの粒子を含んでいる、請求項１又は２に記載のコラーゲンを主成分とした材料。
【請求項６】
寸法が０．２５ｍｍから１ｍｍまでの粒子を含んでいる、請求項１又は２に記載のコラーゲンを主成分とした材料。
【請求項７】
前記椎間板内で無水のコラーゲンを主成分とした材料から還元されたコラーゲンを主成分とした材料を含んでいる、請求項１乃至６の何れか１項に記載のコラーゲンを主成分とした材料。
【請求項８】
非無水状態で前記椎間板内に注入されたコラーゲンを主成分とした材料を含んでいる、請求項１乃至６の何れか１項に記載のコラーゲンを主成分とした材料。
【請求項９】
ゲルとして前記椎間板内に注入されたコラーゲンを主成分とした材料を含んでいる、請求項１乃至６の何れか１項に記載のコラーゲンを主成分とした材料。
【請求項１０】
溶液または懸濁液として前記椎間板内に注入されたコラーゲンを主成分とした材料を含んでいる、請求項１乃至６の何れか１項に記載のコラーゲンを主成分とした材料。
【請求項１１】
コラーゲン分子の架橋を促進するため架橋剤を付加的に含んでいる、請求項１乃至１０の何れか１項に記載のコラーゲンを主成分とした材料。
【請求項１２】
放射線造影媒体を付加的に含んでいる、請求項１乃至１１の何れか１項に記載のコラーゲンを主成分とした材料。
【請求項１３】
鎮痛剤を付加的に含んでいる、請求項１乃至１２の何れか１項に記載のコラーゲンを主成分とした材料。
【請求項１４】
抗生物質を付加的に含んでいる、請求項１乃至１３の何れか１項に記載のコラーゲンを主成分とした材料。
【請求項１５】
プロテオグリカンを付加的に含んでいる、請求項１乃至１４の何れか１項に記載のコラーゲンを主成分とした材料。
【請求項１６】
増殖因子を付加的に含んでいる、請求項１乃至１５の何れか１項に記載のコラーゲンを主成分とした材料。
【請求項１７】
前記椎間板の治癒、修復、再生、及び／又は復旧を促し、及び／又は正しい前記椎間板の機能を発揮し易くするのに効果的な１つ又は複数の他種の細胞を付加的に含んでいる、請求項１乃至１６の何れか１項に記載のコラーゲンを主成分とした材料。
【請求項１８】
椎間板の核を増強するための組成物において、
平均寸法が約０．０５ｍｍから約５．０ｍｍであって、欠陥的椎間板の治癒又は修復を促進するのに効果的な生物活性物質を有している複数のコラーゲン粒子を備えている、組成物。
【請求項１９】
椎間板の核を増強するためのキットにおいて、
(a)平均寸法が約０．０５ｍｍから約５．０ｍｍであって、欠陥的椎間板の治癒又は修復を促進するのに効果的な生物活性物質を有している、複数のコラーゲン粒子と、
(b)前記コラーゲン粒子を送出するための装置と、
(c)撮像媒体とを備えている、キット。
【手続補正書】
【提出日】平成18年10月18日(2006.10.18)
【手続補正１】
【補正対象書類名】特許請求の範囲
【補正対象項目名】全文
【補正方法】変更
【補正の内容】
【特許請求の範囲】
【請求項１】
スライド可能にかつシールして係合されて非ガス成分とガス成分を含む流体物質を受け入れる空間を形成するプランジャを備え、プランジャの作用により空間から液体物質を射出する第１出口を有する細長容器、
流体物質受入チャンバを有し、前記第１出口と接続される第１入口を有するガス物質収集ハウジング、
前記第１入口を通る前記流体物質の通過を制御する第１入口弁部、及び
第２出口と、前記チャンバから前記第２出口を通って外側領域へのガス成分の通過を制御する一方、非ガス成分をチャンバ内に保持する第２出口弁部とを有するハウジングからなるシリンジアセンブリ。
【請求項２】
前記第１弁部は、前記第１入口の近傍に前記ハウジングにシールして固定された弁板、スリットが設けられたディスク、チェック弁、カモノハシ弁、ボール弁、又はこれらの２つ又はそれ以上の組合わせを含む請求項１に記載のアセンブリ。
【請求項３】
前記第２出口弁部は疎水性媒体層を含む請求項１に記載のアセンブリ。
【請求項４】
前記疎水性媒体層は、前記チャンバと対向する第１面と、反対側の第２面とを有し、前記第２出口弁部は、さらに前記第２面の近傍に外部ハウジングを有する請求項３に記載のアセンブリ。
【請求項５】
前記弁板は、閉鎖位置にスプリング付勢され、一方向弁を形成する請求項２に記載のアセンブリ。
【請求項６】
前記第２出口弁部は、前記第２出口の近傍で前記ハウジングにシールして固定された疎水性フィルタ媒体層を含む請求項１に記載のアセンブリ。
【請求項７】
前記疎水性媒体層は、実質的に湿式の膜又は実質的に非湿式の膜を含む請求項６に記載のアセンブリ。
【請求項８】
前記ハウジングの少なくとも１部はそこに収容される液体物質が見えるようにされている請求項１に記載のアセンブリ。
【請求項９】
前記部分は透明又は半透明である請求項８に記載のアセンブリ。
【請求項１０】
前記ハウジングのほぼ全体が透明又は半透明である請求項９に記載のアセンブリ。
【請求項１１】
シリンジからガス物質を排出するシリンジアセンブリにおいて、スライド可能にかつシールして係合されて流体物質受入空間を形成するプランジャを備えた細長容器を有し、前記容器はさらに前記空間から流体物質を射出する出口を有し、前記プランジャは前記空間からガス成分を前記空間の外側領域に移動させる移動手段を有し、前記プランジャはさらに少なくとも１つの通路と該通路を横切って延びる疎水性フィルタ層とを有するシリンジアセンブリ。
【請求項１２】
医薬物質投薬器からガス物質を排出する方法において、
医薬物質投薬器に液体物質を満たし、
前記投薬器の出口に収集ハウジングの入口を取り付け、ここで収集ハウジングは、シリンジ空間から液体物質を受け入れるようにされ、ハウジングからの物質のガス成分を選択的に放出するとともに、１又はそれ以上の非ガス流体成分をハウジング内に保持する能力を有する、
ガス成分を出口近傍に収集するように投薬器を向け、
少なくともガス成分が出口を出てハウジングに入るように投薬器を操作し、ここで投薬ステップはハウジングからガス成分を放出する一方、非ガス残留物質をその中に保持するステップを含む、方法。
【請求項１３】
投薬器から収集ハウジングを取り除くステップと、投薬器を操作して流体物質を投与するステップをさらに含む請求項１２に記載の方法。
【請求項１４】
前記投薬器は、シリンジ、ＩＶ装置、カテーテル、又はそれらの組合わせを含む請求項１３に記載の方法。
【請求項１５】
スライド可能にかつシールして係合されて流体物質受入空間を形成するプランジャを備えた細長容器を有し、前記容器はさらに第１出口と、プランジャの作用により空間からガスを排出するガス排出手段と、プランジャの作用により空間から液体物質を射出する射出手段とを有し、ここでガス排出手段はプランジャに形成され、空間からガス成分を空間の外の領域に移動する移動部分を含む、放出装置。
【請求項１６】
医療流体放出装置のためのガス収集装置において、
内部ガス物質受入チャンバを有し、前記医療流体放出システムの出口と接続するハウジング入口を有するガス物質収集ハウジング、及び
前記ハウジング入口を通るガス物質の通過を制御する入口弁部からなり、
前記ハウジングは、ハウジング出口と、チャンバから出口を通ってハウジングの外側の領域へのガス物質の通過を制御する一方、非ガス物質をチャンバ内に保持するハウジング出口弁部とを有する、ガス収集装置。
【請求項１７】
前記入口弁部は、入口の近傍で、ハウジングにシールして固定された弁板を含む請求項１６に記載の装置。
【請求項１８】
前記弁板は、閉鎖位置にスプリング付勢され、一方向弁を形成する請求項１７に記載の装置。
【請求項１９】
前記ハウジング出口弁部は、前記第２出口の近傍で前記ハウジングにシールして固定された疎水性フィルタ媒体層を含む請求項１６に記載の装置。
【請求項２０】
前記医療流体放出システムは、シリンジ、ＩＶ装置、カテーテル、又はそれらの組合わせを含む請求項１６に記載の装置。
【請求項２１】
前記ハウジングは、不使用時には、キャップの形態をとり、前記医療流体放出システムの出口をシールするように動作する請求項１６に記載の装置。
【請求項２２】
医療流体供給装置からガス物質を排出するアセンブリにおいて、第１出口手段を有する医療流体投薬手段、前記第１出口手段と連結するガス物質受入手段を有する物質収集手段、前記受入手段から前記出口手段を通って外部領域へのガス物質の放出を制御する一方、非ガス物質を前記受入手段内に保持する第２出口弁手段からなるアセンブリ。
【請求項２３】
前記第１入口手段を通るガス物質の通過を制御する第１入口弁手段をさらに有する請求項２２に記載のアセンブリ。
【請求項２４】
前記第２出口弁手段は疎水性フィルタ手段を含む請求項２３に記載のアセンブリ。
【請求項２５】
前記医療流体投薬手段はシリンジ、ＩＶ装置若しくはカテーテルまたはそれらの組合せを含む請求項２２に記載のアセンブリ。
【請求項２６】
スライド可能にかつシールして係合されて非ガス成分とガス成分を含む流体物質を受け入れる空間を形成するプランジャを備え、プランジャの作用により空間から液体物質を射出する第１出口を有する細長容器、
流体物質受入チャンバを有し、前記第１出口と接続される第１入口を有するガス物質収集ハウジング、及び
第２出口と、前記チャンバから前記第２出口を通って外側領域へのガス成分の通過を制御する一方、非ガス成分をチャンバ内に保持する弁アセンブリとを有するハウジングからなり、
前記弁アセンブリは、疎水性媒体層を含む第１弁部と、前記第１弁部から離れてそれらの間に中間チャンバを形成する常閉の第２弁部とを含む、投薬器アセンブリ。
【手続補正書】
【提出日】平成18年8月14日(2006.8.14)
【手続補正１】
【補正対象書類名】特許請求の範囲
【補正対象項目名】全文
【補正方法】変更
【補正の内容】
【特許請求の範囲】
【請求項１】
大豆製品をコーティングする方法であって、
（ａ）流量制限器を通して液体コーティング材料を計量供給する工程、
（ｂ）工程（ａ）と同時に、前記流量制限器を通してガス流を噴射し、（ｉ）前記液体コーティング材料を霧化し、（ｉｉ）前記ガス流と前記霧化された液体コーティングとの乱流を作り出す工程であって、前記ガス流が任意選択的に加熱される工程、および、
（ｃ）工程（ａ）および（ｂ）と同時に、大豆製品を前記乱流領域に加える工程であって、前記大豆製品が、前記霧化された液体コーティング材料と混合され、コーティングされた大豆製品を提供する工程、
を含むことを特徴とする方法。
【請求項２】
粉をコーティングする方法であって、
（ａ）流量制限器を通して液体コーティング材料を計量供給する工程、
（ｂ）工程（ａ）と同時に、前記流量制限器を通してガス流を噴射し、（ｉ）前記液体コーティング材料を霧化し、（ｉｉ）前記ガス流と前記霧化された液体コーティング材料との乱流を作り出す工程であって、前記ガス流が任意選択的に加熱される工程、および、
（ｃ）工程（ａ）および（ｂ）と同時に、粉を前記乱流領域に加える工程であって、前記粉が、前記霧化された液体コーティング材料と混合され、コーティングされた粉を提供する工程、
を含むことを特徴とする方法。
【手続補正２】
【補正対象書類名】明細書
【補正対象項目名】０１５４
【補正方法】変更
【補正の内容】
【０１５４】
（実施例３１）
（分散性を改善するための、大豆粉のスクロースによるコーティング）
分散性を改善するため、大豆粉（ミズーリ州セントルイス、デュポン・プロテイン・テクノロジーズ（ＤｕＰｏｎｔ  Ｐｒｏｔｅｉｎ  Ｔｅｃｈｎｏｌｏｇｉｅｓ，Ｓｔ．Ｌｏｕｉｓ，ＭＯ））をスクロースでコーティングした。装置および方法は実施例１に記載の通りであったが、運転に関する以下の変更があった。乾燥ガスとして空気を使用し、ノズルの上流で２３９℃に加熱した。大豆粉粒子を９５０ｇ／分の速度で装置に計量供給した。食品用スクロースの溶液（８４％ｗ／ｗ、水溶液）を１１４ｇ／分の速度、および９５℃の温度で装置に計量供給した。ドライコーティングされた粒子をシングルバッグ集塵装置（ｓｉｎｇｌｅ  ｂａｇ  ｄｕｓｔ  ｃｏｌｌｅｃｔｏｒ）に捕集した。コーティングされた粉は、コーティングされていない大豆粉出発材料の乾燥流動特性を保持し、実施例１に記載の方法で測定すると、水中における分散性は改善されていた。
以下に、本発明の好ましい態様を示す。
［１］  大豆製品をコーティングする方法であって、
（ａ）流量制限器を通して液体コーティング材料を計量供給する工程、
（ｂ）工程（ａ）と同時に、前記流量制限器を通してガス流を噴射し、（ｉ）前記液体コーティング材料を霧化し、（ｉｉ）前記ガス流と前記霧化された液体コーティングとの乱流を作り出す工程であって、前記ガス流が任意選択的に加熱される工程、および、
（ｃ）工程（ａ）および（ｂ）と同時に、大豆製品を前記乱流領域に加える工程であって、前記大豆製品が、前記霧化された液体コーティング材料と混合され、コーティングされた大豆製品を提供する工程、
を含むことを特徴とする方法。
［２］  前記大豆製品が、大豆蛋白質単離物、大豆濃縮物、大豆ミール、大豆子葉繊維、脱皮大豆、大豆胚軸、大豆グリッツ、大豆チップ、大豆粉、組織状大豆蛋白質、および大豆フレークよりなる群から選択されることを特徴とする［１］に記載の方法。
［３］  前記液体コーティング材料が、甘味剤、食品用香味付与剤又は増強剤、食用色素、食品用芳香剤、凝固防止剤、保湿剤、抗微生物剤、酸化防止剤、表面改質剤、炭水化物、蛋白質、脂質、ミネラル、栄養補助剤、乳化剤、又はこれらの混合物よりなる群から選択されることを特徴とする［１］に記載の方法。
［４］  工程（ａ）〜（ｃ）を少なくとも１回繰返す工程を更に含み、前記液体コーティング材料が同じであるか又は異なることを特徴とする［１］に記載の方法。
［５］  ［１］から［４］のいずれか一項に記載の方法で製造されるコーティングされた大豆製品。
［６］  ［１］から［４］のいずれか一項に記載の方法で製造されるコーティングされた大豆製品を含む食品。
［７］  ［１］から［４］のいずれか一項に記載の方法で製造されるコーティングされた大豆製品を含む栄養補助食品。
［８］  ［１］から［４］のいずれか一項に記載の方法で製造されるコーティングされた大豆製品を含む飲料。
［９］  ［１］から［４］のいずれか一項に記載の方法で製造されるコーティングされた大豆製品を含む乳児用調合乳。
［１０］  ［１］から［４］のいずれか一項に記載の方法で製造されるコーティングされた大豆製品を含むペットフード。
［１１］  ［１］から［４］のいずれか一項に記載の方法で製造されるコーティングされた大豆製品を含む動物用飼料。
［１２］  ［１］から［４］のいずれか一項に記載の方法で製造されるコーティングされた大豆製品の、食品成分、栄養補助食品成分、飲料成分、乳児用調合乳成分、ペットフード成分、又は動物用飼料成分としての使用。
［１３］  粉をコーティングする方法であって、
（ａ）流量制限器を通して液体コーティング材料を計量供給する工程、
（ｂ）工程（ａ）と同時に、前記流量制限器を通してガス流を噴射し、（ｉ）前記液体コーティング材料を霧化し、（ｉｉ）前記ガス流と前記霧化された液体コーティング材料との乱流を作り出す工程であって、前記ガス流が任意選択的に加熱される工程、および、
（ｃ）工程（ａ）および（ｂ）と同時に、粉を前記乱流領域に加える工程であって、前記粉が、前記霧化された液体コーティング材料と混合され、コーティングされた粉を提供する工程、
を含むことを特徴とする方法。
［１４］  前記粉が、大豆粉、小麦粉、オート麦粉、ライ麦粉、大麦粉、米粉、雑穀粉、トウモロコシ粉および充填剤粉よりなる群から選択されることを特徴とする［１３］に記載の方法。
［１５］  前記液体コーティング材料が、甘味剤、食品用香味付与剤又は増強剤、食用色素、食品用芳香剤、凝固防止剤、保湿剤、抗微生物剤、酸化防止剤、表面改質剤、炭水化物、蛋白質、脂質、ミネラル、栄養補助剤、乳化剤、又はこれらの混合物よりなる群から選択されることを特徴とする［１３］に記載の方法。
［１６］  工程（ａ）〜（ｃ）を少なくとも１回繰返す工程を更に含み、前記液体コーティング材料が同じであるか又は異なることを特徴とする［１３］に記載の方法。
［１７］  ［１３］から［１６］のいずれか一項に記載の方法で製造されるコーティングされた粉。
［１８］  ［１３］から［１６］のいずれか一項に記載の方法で製造されるコーティングされた粉を含む食品。
［１９］  ［１３］から［１６］のいずれか一項に記載の方法で製造されるコーティングされた粉を含む焼いた食品。
［２０］  ［１３］から［１６］のいずれか一項に記載の方法で製造されるコーティングされた粉を含むスナック食品。
［２１］  ［１３］から［１６］のいずれか一項に記載の方法で製造されるコーティングされた粉の食品成分としての使用。
【手続補正書】
【提出日】平成18年6月22日(2006.6.22)
【手続補正１】
【補正対象書類名】特許請求の範囲
【補正対象項目名】全文
【補正方法】変更
【補正の内容】
【特許請求の範囲】
【請求項１】
軟組織充填物およびペプチド銅錯体を含有する、組成物。
【請求項２】
請求項１に記載の組成物であって、前記軟組織充填物が、動物組織から誘導される天然物質を含有する、組成物。
【請求項３】
請求項２に記載の組成物であって、前記天然物質が、コラーゲン、自己脂質、ヒアルロン酸、ヒアルロン酸の改変形態またはそれらの混合物である、組成物。
【請求項４】
請求項１に記載の組成物であって、前記軟組織充填物が、合成物質を含有する、組成物。
【請求項５】
請求項４に記載の組成物であって、前記合成物質が、低融点パラフィン、植物油、ラノリン、蜜蝋、シリコンポリマー、発泡ポリフルオロエチレン（Ｔｅｆｌｏｎ（登録商標））、ポリ乳酸、ポリグルタミン酸、セルロースポリマー、ポリメチルメタクリレート、ポリメチルメタクリレートに基づくポリマーまたはそれらの混合物である、組成物。
【請求項６】
請求項１に記載の組成物であって、前記軟組織充填物が、該組成物の約０．００１重量％〜約９９重量％の範囲の濃度で存在する、組成物。
【請求項７】
請求項１に記載の組成物であって、前記軟組織充填物が、該組成物の約０．０１重量％〜約９０重量％の範囲の濃度で存在する、組成物。
【請求項８】
請求項１に記載の組成物であって、前記軟組織充填物が、該組成物の約０．０１重量％〜約５０重量％の範囲の濃度で存在する、組成物。
【請求項９】
請求項１に記載の組成物であって、前記ペプチド銅錯体が、アラニル−ヒスチジル−リジン：銅（ＩＩ）である、組成物。
【請求項１０】
請求項１に記載の組成物であって、前記ペプチド銅錯体が、バリル−ヒスチジル−リジン：銅（ＩＩ）である、組成物。
【請求項１１】
請求項１に記載の組成物であって、前記ペプチド銅錯体が、グリシル−ヒスチジル−リジン：銅（ＩＩ）である、組成物。
【請求項１２】
請求項１に記載の組成物であって、前記ペプチド銅錯体が、Ｌ−アラニル−Ｌ−ヒスチジル−Ｌ−リジン：銅（ＩＩ）、Ｌ−バリル−Ｌ−ヒスチジル−Ｌ−リジン：銅（ＩＩ）またはグリシル−Ｌ−ヒスチジル−Ｌ−リジン：銅（ＩＩ）である、組成物。
【請求項１３】
請求項１に記載の組成物であって、前記ペプチド銅錯体が、［グリシル−ヒスチジル−リジン−Ｒ］：銅（ＩＩ）であり、Ｒが、１個〜１８個の炭素原子を含有するアルキル部分、６個〜１２個の炭素原子を含有するアリール部分、１個〜１２個の炭素原子を含有するアルコキシ部分または６個〜１２個の炭素原子を含有するアリールオキシ部分である、組成物。
【請求項１４】
請求項１に記載の組成物であって、前記ペプチド銅錯体におけるペプチドと銅とのモル比が、約１：１〜約３：１の範囲である、組成物。
【請求項１５】
請求項１に記載の組成物であって、前記ペプチド銅錯体におけるペプチドと銅とのモル比が、約１：１〜約２：１の範囲である、組成物。
【請求項１６】
請求項１に記載の組成物であって、前記ペプチド銅錯体が、該組成物の約０．０１重量％〜約１０重量％の範囲の濃度で存在する、組成物。
【請求項１７】
請求項１に記載の組成物であって、前記ペプチド銅錯体が、該組成物の約０．０２５重量％〜約１重量％の範囲の濃度で存在する、組成物。
【請求項１８】
請求項１に記載の組成物であって、前記ペプチド銅錯体が、該組成物の約０．０５重量％〜約０．５重量％の範囲の濃度で存在する、組成物。
【請求項１９】
請求項１に記載の組成物であって、前記軟組織充填物および前記ペプチド銅錯体の組み合わせまたは前記ペプチド銅錯体が、該ペプチド銅錯体の送達を助けるのに適合した、または該組成物の安定性を高めるのに適合したリポソームまたはマイクロスポンジに被包される、組成物。
【請求項２０】
請求項１に記載の組成物であって、該組成物が、溶液、濃い溶液、懸濁液またはゲルの形態である、組成物。
【請求項２１】
請求項１に記載の組成物であって、不活性で生理学的に受容可能な担体または希釈剤をさらに含む組成物。
【請求項２２】
請求項２１に記載の組成物であって、前記不活性で生理学的に受容可能な担体または希釈剤が、生理食塩水または精製水である、組成物。
【請求項２３】
請求項１に記載の組成物であって、賦形剤をさらに含む、組成物。
【請求項２４】
請求項２３に記載の組成物であって、前記賦形剤が、リン酸緩衝生理食塩水、静菌性生理食塩水、プロピレングリコール、デンプン、ショ糖、ソルビトールまたはそれらの混合物である、組成物。
【請求項２５】
請求項１に記載の組成物であって、該組成物が増粘剤をさらに含む、組成物。
【請求項２６】
請求項２５に記載の組成物であって、前記増粘剤が、アクリルアミドコポリマー、カルボマー、ヒドロキシエチルセルロース、ヒドロキシプロピルセルロース、ポリアクリル酸、ポリメタクリル酸、ポリビニルアルコールまたはそれらの混合物である、組成物。
【請求項２７】
請求項１に記載の組成物であって、乳化剤をさらに含む、組成物。
【請求項２８】
請求項２７に記載の組成物であって、前記乳化剤が、カプリル酸トリグリセリド、カプリン酸トリグリセリド、セテアレス−７、セチルアルコール、セチルホスフェート、イソステアレス−１１、イソステアリン酸ナトリウムまたはそれらの混合物である、組成物。
【請求項２９】
請求項１に記載の組成物であって、保存剤をさらに含む、組成物。
【請求項３０】
請求項２９に記載の組成物であって、前記保存剤が、ベンジルアルコール、パラベン、ジアゾリジニル尿素、ＤＭＤＭヒダントイン、フェノキシエタノール、ヨードプロピニルブチルカルバメートまたはそれらの混合物である、組成物。
【請求項３１】
皮膚欠損症を処置するための請求項１に記載の組成物であって、該組成物は、処置の必要な皮膚領域に注射するのに適しており、有効量で存在する、組成物。
【請求項３２】
皮膚欠損症を処置するための組成物であって、該組成物は、処置の必要な皮膚領域に注射するのに適した軟組織充填物の有効量を含み、該組成物は、該領域に注射するのに適した、ペプチド銅錯体を含む組成物の有効量とともに使用される、組成物。
【請求項３３】
皮膚欠損症を処置するための組成物であって、該組成物は、処置の必要な皮膚領域に注射するのに適した軟組織充填物の有効量を含み、該組成物は、局所適用に適した、ペプチド銅錯体を含む組成物の有効量とともに使用される、組成物。
【請求項３４】
請求項３３に記載の組成物であって、ペプチド銅錯体を含む前記組成物が、日焼け止め剤、皮膚ライトニング剤、日焼け剤、皮膚コンディショニング剤、皮膚保護剤、皮膚軟化剤、湿潤剤またはそれらの混合物をさらに含む、組成物。
【手続補正書】
【提出日】平成18年5月8日(2006.5.8)
【手続補正１】
【補正対象書類名】明細書
【補正対象項目名】特許請求の範囲
【補正方法】変更
【補正の内容】
【特許請求の範囲】
【請求項１】  中心の長手方向に延びる中心平面と、シリンダを備えたエンジンとを有するオートバイ用のフレームであって、
（ａ）（１）ヘッド管と、
（２）前記ヘッド管に連結された第１端を有し、前記ヘッド管から下方且つ後方に延びて第２端で終端する第１、第２の桁と、
（３）該第１、第２の桁に取り付けられた第１、第２のスイングアームマウントであって、該第１のスイングアームマウントが前記第１の桁の自由端から下方に延びてマウント自由端で終端し、前記第２のスイングアームマウントが前記第２の桁の自由端から下方に延びてマウント自由端で終端するスイングアームマウントと、
（ｂ）エンジンが取り外し可能に取り付けられるエンジンフレームであって、前記マウント自由端に回動可能に取り付けられた第１端と、前記第１、第２の桁に取り外し可能に連結された第２端とを有するエンジンフレームと、を有し、
（ｃ）前記エンジンフレームは、内方位置と外方位置との間で移動可能であり、前記内側位置においては、前記エンジンフレームの前記第２端が前記第１、第２の桁に連結され、前記シリンダが前記第１の桁と第２の桁との間に延び、前記オープン位置においては、前記エンジンフレームの前記第２端が前記第１、第２の桁から離れて前記シリンダが前記第１、第２の桁から離れる、ことを特徴とするフレーム。
【手続補正書】
【提出日】平成18年3月24日(2006.3.24)
【手続補正１】
【補正対象書類名】明細書
【補正対象項目名】特許請求の範囲
【補正方法】変更
【補正の内容】
【特許請求の範囲】
【請求項１】  製薬上許容し得る担体と共にニコチン性受容体アゴニストの正のモジュレーターを包含し、前記正のモジュレーターが前記ニコチン性受容体アゴニストの効力を増大する能力を有している医薬組成物。
【請求項２】  ニコチン性受容体アゴニストをさらに包含する請求項１記載の医薬組成物。
【請求項３】  正のモジュレーターが５−ヒドロキシインドールである請求項１または２に記載の医薬組成物。
【請求項４】  ニコチン性受容体アゴニストがα７−ニコチン性受容体アゴニストである請求項１〜３のいずれか１項に記載の医薬組成物。
【請求項５】  ニコチン伝達の低減に関連する病態の治療のための、ニコチン性受容体アゴニストの効力を増大する能力を有するニコチン性受容体アゴニストの正のモジュレーターの医療上有効な量を含有する医薬。
【請求項６】  正のモジュレーターをニコチン性受容体アゴニストと共に投与する請求項５に記載の医薬。
【請求項７】  正のモジュレーターが５−ヒドロキシインドールである請求項５また６に記載の医薬。
【請求項８】  ニコチン性受容体アゴニストがα７−ニコチン性受容体アゴニストである請求項５〜７いずれか１項に記載の医薬。
【請求項９】  アルツハイマー病、注意欠損機能亢進障害、精神分裂病、不安症またはニコチン耽溺の治療のための請求項５〜８のいずれか１項に記載の医薬。
【請求項１０】  アルツハイマー病の治療のための請求項５〜８のいずれか１項に記載の医薬。
【請求項１１】  注意欠損機能亢進障害の治療のための請求項５〜８のいずれか１項に記載の医薬。
【請求項１２】  精神分裂病の治療のための請求項５〜８のいずれか１項に記載の医薬。
【請求項１３】  ニコチン耽溺の治療のための請求項５〜８のいずれか１項に記載の医薬。
【請求項１４】  (ａ) 細胞表面にニコチン性受容体を発現させ；
(ｂ) ニコチン性受容体をニコチン性受容体アゴニストであることが知られている化合
物および正のモジュレーション活性について試験する化合物と接触させ；
(ｃ) 試験する化合物がニコチン性受容体アゴニストの効果に対して正のモジュレーションを示すか否かを測定する
工程からなるニコチン性受容体アゴニストの正のモジュレーターを同定する方法。
【請求項１５】  (ａ) 細胞表面にニコチン性受容体を発現させ；
(ｂ) ニコチン性受容体をニコチン性受容体アゴニスト活性について試験する化合物とニコチン性受容体アゴニストの正のモジュレーターの存在下に接触させ；
(ｃ) 試験する化合物がニコチン性受容体アゴニスト活性を示すか否かを測定する
工程からなるニコチン性受容体アゴニストである化合物を同定する方法。
【請求項１６】  細胞がツメガエル卵母細胞、ＨＥＫ−２９３細胞または細胞培養神経細胞である請求項１４または１５に記載の方法。
【請求項１７】  ニコチン性受容体がα７−ニコチン性受容体である請求項１４または１５に記載の方法。
【請求項１８】  ニコチン性受容体がヒト、ラット、ひよこ、マウスまたはウシのニコチン性受容体である請求項１４または１５に記載の方法。
【請求項１９】  請求項１０〜１８のいずれか１項に記載の方法により同定し得る化合物。
【請求項２０】  ニコチン伝達の低減に関連する病態の治療または予防のための医薬の製造におけるニコチン性受容体アゴニストの正のモジュレーターの使用。
【請求項２１】  ニコチン伝達の低減に関連する病態の治療のための医薬の製造におけるニコチン性受容体アゴニストと共にニコチン性受容体アゴニストの正のモジュレーターの使用。
【請求項２２】  モジュレーターが５−ヒドロキシインドールである請求項２０または２１に記載の使用。
【請求項２３】  ニコチン性受容体アゴニストがα７−ニコチン性受容体アゴニストである請求項２０または２１記載の使用。
【請求項２４】  アルツハイマー病、注意欠損機能亢進障害、精神分裂病、不安症またはニコチン耽溺の治療のための医薬の製造における請求項２０〜２３のいずれか１項に記載の使用。
【請求項２５】  アルツハイマー病の治療のための医薬の製造における請求項２０〜２３のいずれか１項に記載の使用。
【請求項２６】  注意欠損機能亢進障害の治療のための医薬の製造における請求項２０〜２３のいずれか１項に記載の使用。
【請求項２７】  精神分裂病の治療のための医薬の製造における請求項２０〜２３のいずれか１項に記載の使用。
【請求項２８】  ニコチン耽溺の治療のための医薬の製造における請求項２０〜２３のいずれか１項に記載の使用。
【手続補正書】
【提出日】平成18年3月7日(2006.3.7)
【手続補正１】
【補正対象書類名】明細書
【補正対象項目名】特許請求の範囲
【補正方法】変更
【補正の内容】
【特許請求の範囲】
【請求項１】
治療剤または予防剤の送達のための多孔質ポリマー性マトリックスであって、該マトリックスは、治療剤または予防剤；および
マトリックス中への水の拡散および前記マトリックスからの治療剤または予防剤の放出を調節する有効量の疎水性化合物、
をその中に組み込んだ生物学的適合性のポリマーから形成され、該マトリックスは、孔形成剤を溶媒に溶解したポリマーとともに乳化し、次に孔形成剤および溶媒を除去することにより得ることができるものである、
前記ポリマー性マトリックス。
【請求項２】
微粒子の形状である、請求項１に記載のマトリックス。
【請求項３】
疎水性化合物が、ポリマーの重量に対する疎水性化合物の重量にして0.01〜60の間の比で、マトリックス中に組み込まれている、請求項１に記載のマトリックス。
【請求項４】
疎水性化合物が、0.01〜30の間の比で（脂質重量／マトリックス材料重量）、マトリックス中に組み込まれた脂質である、請求項３に記載のマトリックス。
【請求項５】
脂質が、ホスファチジン酸類、飽和脂質および不飽和脂質の両方を有するホスファチジルコリン類、ホスファチジルエタノールアミン類、ホスファチジルグリセロール類、ホスファチジルセリン類、ホスファチジルイノシトール類、リソホスファチジル誘導体、カルジオリピン、およびβ−アシル−ｙ−アルキルリン脂質類からなる群から選択されるリン脂質である、請求項４に記載のマトリックス。
【請求項６】
リン脂質が、ジオレオイルホスファチジルコリン、ジミリストイルホスファチジルコリン、ジペンタデカノイルホスファチジルコリン、ジラウロイルホスファチジルコリン、ジパルミトイルホスファチジルコリン、ジステアロイルホスファチジルコリン、ジアラキドイルホスファチジルコリン、ジベヘノイルホスファチジルコリン、ジトリコサノイルホスファチジルコリン、ジリグノセロイルホスファチジルコリン；およびホスファチジルエタノールアミン類からなる群から選択される、請求項５に記載のマトリックス。
【請求項７】
剤が治療剤である、請求項１に記載のマトリックス。
【請求項８】
生物接着性ポリマーで形成される、請求項１に記載のマトリックス。
【請求項９】
ポリ（ヒドロキシ酸）、ポリ無水物、ポリオルトエステル、ポリアミド、ポリカーボネート、ポリアルキレン、ポリアルキレングリコール、ポリアルキレンオキシド、ポリアルキレンテレフタレート、ポリビニルアルコール、ポリビニルエーテル、ポリビニルエステル、ポリビニルハロゲン化物、ポリビニルピロリドン、ポリシロキサン、ポリ（ビニルアルコール）、ポリ（ビニルアセテート）、ポリスチレン、ポリウレタンおよびそのコポリマー、合成セルロース、ポリアクリル酸、ポリ（酪酸）、ポリ（吉草酸）、およびポリ（ラクチド−コ−カプロラクトン）、エチレンビニルアセテート、コポリマーおよびこれらのブレンドからなる群から選択されるポリマーで形成される、請求項１に記載のマトリックス。
【請求項１０】
タンパク質または多糖類で形成される、請求項１に記載のマトリックス。
【請求項１１】
局所適用または粘膜表面に適用するための医薬的に許容可能な担体中に存在する、請求項１に記載のマトリックス。
【請求項１２】
注射のための医薬的に許容可能な担体中に存在する、請求項１に記載のマトリックス。
【請求項１３】
直腸投与用または膣投与用に製剤化される、請求項１に記載のマトリックス。
【請求項１４】
微粒子が、肺投与用に製剤化される、請求項２に記載のマトリックス。
【請求項１５】
請求項１〜１４のいずれか１項に記載のマトリックスの製造方法であって、
ポリマーを溶媒に溶解し;
ポリマー溶液に組み込まれるべき治療剤、または予防剤および孔形成剤をポリマー溶液に加え；
乳化し；そして
溶媒および孔形成剤を除去して多孔質マトリックスを形成する
ことを含む方法。
【請求項１６】
疎水性化合物とともにポリマーを溶融することによりマトリックスを形成する、請求項１５に記載の方法。
【請求項１７】
疎水性化合物とともにポリマーを溶解することによりマトリックスを形成する、請求項１５に記載の方法。
【請求項１８】
マトリックスがスプレー乾燥により形成される微粒子の形状である、請求項１５に記載の方法。
【請求項１９】
請求項１〜１４のいずれか１項に記載のマトリックスを含む、治療剤または予防剤を患者に投与するための薬物送達調節剤。
【請求項２０】
疎水性化合物が、脂肪酸および誘導体、モノ−、ジ−およびトリ−グリセリド、リン脂質、スフィンゴ脂質、ステロイドおよびステロイド誘導体、油類、ビタミン類、テルペン類、トリプトファン、チロシン、イソロイシン、ロイシン、バリン、アルキルパラベンおよび安息香酸からなる群から選択される、請求項１に記載のマトリックス。